(57)【要約】【課題】施設の有効活用を図ることができ、また、利用者が飽きることなく積極的に利用することができる足浴施設及び足浴施設付き店舗を提供する。【解決手段】足浴施設１０は、座席部１１と、座席部１１の近傍下部に配置されて、座席部１１に着席した利用者が上方から利用者の足を挿入して足に温暖感覚を伝達する伝熱媒体２２が収容された足置槽２１と、座席部１１の近傍上部でかつ座席部１１に着席した利用者が使用可能な位置に配置されたテーブル３１とを有する。これにより、足浴施設１の利用者は、足浴を行いながら、テーブル３１を利用することができ、飽きることなく足浴を楽しむことができ、施設提供者は、足浴施設１の有効活用を図ることができる。【選択図】図１
0003125599.tif 000002
【実用新案登録請求の範囲】
【請求項１】
座席部と、
該座席部の近傍下部に配置されて、前記座席部に着席した利用者が上方から前記利用者の足を挿入可能で、該挿入された足に温暖感覚を伝達する伝熱媒体が収容された足置槽と、
前記座席部の近傍上部でかつ前記座席部に着席した利用者が使用可能な位置に配置されたテーブルと、
を有することを特徴とする足浴施設。
【請求項２】
前記伝熱媒体は、温水であることを特徴とする請求項１に記載の足浴施設。
【請求項３】
前記伝熱媒体は、暖められた石であることを特徴とする請求項１に記載の足浴施設。
【請求項４】
前記座席部は、
利用者が個別に着席する単座式椅子であり、リクライニング可能な背もたれを有することを特徴とする請求項１〜３のいずれか１項に記載の足浴施設。
【請求項５】
前記座席部は、
複数人が着席可能な横幅を有する長椅子であることを特徴とする請求項１〜３のいずれか１項に記載の足浴施設。
【請求項６】
前記足置槽は、
前記長椅子の近傍下部で前記長椅子に沿って延在する横幅を有することを特徴とする請求項５に記載の足浴施設。
【請求項７】
前記足置槽は、
前記長椅子の近傍下部で前記長椅子に沿って該長椅子の全横幅のうちの所定長さに亘って延在する横幅を有することを特徴とする請求項５に記載の足浴施設。
【請求項８】
前記テーブルは、
前記長椅子の近傍上部で前記長椅子に沿って延在する横幅を有することを特徴とする請求項５〜７のいずれか１項に記載の足浴施設。
【請求項９】
前記座席部と、前記足置槽と、前記テーブルが互いに一体に固定されていることを特徴とする請求項１〜８のいずれか１項に記載の足浴施設。
【請求項１０】
前記座席部と、前記足置槽と、前記テーブルの少なくとも一つが独立して設けられており、別個に移動可能であることを特徴とする請求項１〜８のいずれか１項に記載の足浴施設。
【請求項１１】
前記足置槽と前記テーブルが互いに一体に固定され、前記座席が別個に移動可能に設けられていることを特徴とする請求項１〜８のいずれか１項に記載の足浴施設。
【請求項１２】
前記請求項１〜１１のいずれか１項に記載の足浴施設を備え、前記テーブルの上に飲食物を乗せて提供可能な構成を有することを特徴とする足浴施設付き店舗。
【請求項１３】
前記座席部から所定距離離間した位置で上下に延在し、写真、絵画などの美術品を取り付け可能な縦壁を有することを特徴とする請求項１２に記載の足浴施設付き店舗。
【考案の詳細な説明】
【技術分野】
【０００１】
本考案は、座席部に着席した利用者が足置槽に上方から足を入れて足浴が可能な足浴施設に関する。
【背景技術】
【０００２】
一般的な観光地やドライブイン等（以下、観光地等という）では、地元等の業者によって飲食施設が建てられ、その飲食施設内で飲食物の提供などの営業活動が行われている。観光客は、これらの飲食施設を利用して飲食物の提供等の各種サービスを受けることができる。
【０００３】
また、近年、観光地等において足浴施設の設置が盛んに行われている。従来の足浴施設は、長椅子の近傍下部に設置された足置槽に所定量の温泉水を貯留する構成を有している。
【０００４】
観光客等の利用者は、長椅子に着席した状態で上方から足置槽に利用者の足を入れることにより、足のみを温泉水に浸ける足浴ができる。足浴は、温泉浴場のように衣服を脱いで全裸になる必要がなく、手軽に行うことができる。また、温泉効果により、血行が良くなり、気分もリフレッシュでき、健康面や精神面において良い効果を得ることができる。
【０００５】
そして、観光地等における業者は、長椅子と足置槽を用意し、温泉水を引くだけでよく、温泉浴場のように脱衣所や周囲から隠すための囲いを設ける必要もない。したがって、足浴施設を簡単に設置することができ、運営も温泉浴場と比較して簡単かつ低コストで行うことができる。このような理由から、足浴施設は、観光地向けの施設として人気が高まっている。
【考案の開示】
【考案が解決しようとする課題】
【０００６】
しかしながら、従来の足浴施設は、長椅子と足置槽とからなり、利用者は、単に長椅子に座って足を温泉水に浸けるだけであった。したがって、すぐに飽きてしまい、温泉効果が得られる適切な時間が経過する前に足置槽から出てしまうおそれがあった。
【０００７】
また、利用者等である観光客は、観光地等に滞在できる時間が限られており、ある施設を利用する場合には、その分だけ滞在時間が短くなる。
【０００８】
したがって、観光地等に飲食施設と足湯施設が別個に独立して設置されている場合に、飲食店で飲食している時間と足湯に浸かる時間の両方をそれぞれ十分に確保する余裕はなく、これら両方の施設を適切に利用することは困難であった。
【０００９】
本考案は、このような問題に鑑み、従来技術の課題を解決すべくなされたものであり、その目的は、施設の有効活用を図ることができ、また、利用者が飽きることなく積極的に利用することができる足浴施設及び足浴施設付き店舗を提供することにある。
【課題を解決するための手段】
【００１０】
上記課題を解決する請求項１に記載の考案による足浴施設は、座席部と、座席部の近傍下部に配置されて、座席部に着席した利用者が上方から利用者の足を挿入可能で、その挿入された足に温暖感覚を伝達する伝熱媒体が収容された足置槽と、座席部の近傍上部でかつ座席部に着席した利用者が使用可能な位置に配置されたテーブルとを有することを特徴とする。
【００１１】
請求項２に記載の考案は、請求項１に記載の足浴施設において、伝熱媒体は、温水であることを特徴とする。
【００１２】
請求項３に記載の考案は、請求項１に記載の足浴施設において、伝熱媒体は、暖められた石であることを特徴とする。
【００１３】
請求項４に記載の考案は、請求項１〜３のいずれか１項に記載の足浴施設において、座席部は、利用者が個別に着席する単座式椅子であり、リクライニング可能な背もたれを有することを特徴とする。
【００１４】
請求項５に記載の考案は、請求項１〜３のいずれか１項に記載の足浴施設において、座席部は、複数人が着席可能な横幅を有する長椅子であることを特徴とする。
【００１５】
請求項６に記載の考案は、請求項５に記載の足浴施設において、足置槽は、長椅子の近傍下部で長椅子に沿って延在する横幅を有することを特徴とする。
【００１６】
請求項７に記載の考案は、請求項５に記載の足浴施設において、足置槽は、長椅子の近傍下部で長椅子に沿って長椅子の全横幅のうちの所定長さに亘って延在する横幅を有することを特徴とする。
【００１７】
請求項８に記載の考案は、請求項５〜７のいずれか１項に記載の足浴施設において、テーブルは、長椅子の近傍上部で前記長椅子に沿って延在する横幅を有することを特徴とする。
【００１８】
請求項９に記載の考案は、請求項１〜８のいずれか１項に記載の足浴施設において、座席部と、足置槽と、テーブルが互いに一体に固定されていることを特徴とする。
【００１９】
請求項１０に記載の考案は、請求項１〜８のいずれか１項に記載の足浴施設において、座席部と、足置槽と、テーブルの少なくとも一つが独立して設けられており、別個に移動可能であることを特徴とする。
【００２０】
請求項１１に記載の考案は、請求項１〜８のいずれか１項に記載の足浴施設において、足置槽と前記テーブルが互いに一体に固定され、前記座席部が別個に移動可能に設けられていることを特徴とする。
【００２１】
請求項１２に記載の考案による足浴施設付き店舗は、請求項１〜１１のいずれか１項に記載の足浴施設を備え、テーブルの上に飲食物を乗せて提供可能な構成を有することを特徴とする。
【００２２】
請求項１３に記載の考案は、請求項１２に記載の足浴施設付き店舗において、座席部から所定距離離間した位置で上下に延在し、写真、絵画などの美術品を取り付け可能な縦壁を有することを特徴とする。
【考案の効果】
【００２３】
上記考案によれば、足浴施設は、座席部の近傍下部に伝熱媒体が収容された足置槽が配置されると共に、座席部の近傍上部にテーブルが配置されているので、足浴施設の利用者は、足置槽に挿入した足に伝熱媒体から温暖感覚の伝達を受けて足浴を行いながら、テーブルを利用することができる。テーブルの利用方法としては、例えばテーブルの上に飲食物を載せて飲食を行ったり、読書したり、或いは、テーブルの上に突っ伏して昼寝をすること等が挙げられる。
【００２４】
したがって、利用者は、飽きることなく足浴を楽しむことができ、伝熱媒体によって温暖効果が得られる適切な時間が経過するまで足浴を行うことができる。
【００２５】
また、足浴に加えて飲食等も可能となることから、複数施設の同時利用が可能となる。そして、足浴施設を提供する提供者は、足浴施設の有効活用を図ることができ、利用率を向上させることができる。
【考案を実施するための最良の形態】
【００２６】
次に、本考案の実施の形態について図に基づいて説明する。
【００２７】
図１は、足浴施設１０の実施例を示す斜視図、図２は、足浴施設１０の断面図、図３は、足浴施設付き店舗１Ａの構成を説明する平面図、図４は、足浴施設付き店舗１Ａの実施例を説明する図である。
【００２８】
本考案における足浴施設付き店舗１Ａは、観光地へ通じる観光道路や国道等のロードサイドに設けられたドライブイン内に設置されている。ドライブインには、例えば図４に示すように、複数の店舗１、駐車場Ｐ、公衆トイレＷＣ、道の駅Ｍ、管理事務所Ｊ等が設けられている。そして、バーベキューコーナＱや、ダチョウの放牧場Ｂ１、羊の放牧場Ｂ２など、家族連れなどが楽しむことができる施設が設けられている。
【００２９】
これらの施設の中で、特に公衆トイレＷＣは、設備が豪華でかつスタッフによる清掃管理が徹底して行われて全国各地の公衆トイレの中でトップクラスの清潔度を有しており、利用者から好評を得ている。
【００３０】
また、ドライブインには居住区が併設されており、定年後の年金生活者等が住居Ｈを建てて生活している。これらの住居Ｈには、家庭菜園が備え付けられており、また、家畜を飼育できるようになっている。そして、かかる住居Ｈの住人がスタッフとしてドライブインの運営管理に携わるビジネスモデルが採用されている。
【００３１】
足浴施設１０は、これら複数の店舗１のうち、例えば飲食店内に設置されている。足浴施設付きの店舗１Ａを構成する飲食店（飲食施設）の店舗中央には、図３に示すように、一対の足浴施設１０が互いに対向して平行に並べて設置されており、各足浴施設１０の間には従業員が移動するためのカウンタースペースが設けられている。
【００３２】
足浴施設１０は、図１及び図２に示すように、座席部１１と、座席部１１の近傍下部に配置された足置槽２１と、座席部１１の近傍上部に配置されたテーブル３１とを有している。これら座席部１１と、足置槽２１と、テーブル３１は、互いに一体に固定されている。
【００３３】
座席部１１は、複数人が横並びに着席可能な横幅を有した長椅子によって構成されている。長椅子１１は、カウンタースペースを間に介在させて互いに対向して座るように、店舗１Ａの床面に設置されている。長椅子１１の座面高さは、大人である利用者が着席した際に膝が約９０度程度に曲がる高さ位置に設定されている。
【００３４】
足置槽２１は、長椅子１１の近傍下部である前方下部に設置されており、長椅子１１に沿って延在して設けられている。足置槽２１は、上方が開放された横長の箱形状を有しており、所定量の温泉水２２を貯留しかつ長椅子１１に着席した利用者が上方から足を挿入して底面に接地させることができる大きさを有している。
【００３５】
そして、足置槽２１には、利用者が足を挿入した際に、利用者の足の臑部分くらいまでの高さを浸けることができる量の温泉水２２が貯留されている。温泉水２２は、利用者の足に温暖感覚を伝達する伝達媒体を構成している。したがって、利用者は、足置槽２１に挿入した足に温泉水２２から温暖感覚を伝達され、足浴を行うことができる。
【００３６】
足置槽２１の横幅は、長椅子１１の全横幅のうち、所定長さに亘って延在する長さに設定されており、長椅子１１とテーブル３１だけが存在し、足置槽２１が存在しない領域２１′が形成されている。したがって、店舗１Ａの利用者のうちで足浴の利用を希望しない者や、怪我等により利用できない者は、長椅子１１の足置槽が存在しない領域２１′に着席できるようになっている。
【００３７】
足置槽２１には、図示していない温泉水供給口と温泉水排出口が設けられており、殺菌された温泉水２２が温泉水供給口から足置槽２１内に供給され、温泉水排出口から排出された温泉水２２が図示していない循環装置によって回収されて殺菌処理された後に、温泉水供給口から足置槽２１内に供給されるように構成されている。尚、温泉水２２は、循環装置による循環式のものに限定されず、いわゆる源泉かけ流しであっても良い。また、本実施の形態では、温泉水２２を例に説明したが、水道水や河川等の水を暖めたものであってもよい。
【００３８】
テーブル３１は、長椅子１１の近傍上部である前方上部に設置されており、長椅子１１に沿って延在して設けられている。テーブル３１の高さは、長椅子１１に着席した利用者の前方に広がり、利用者がテーブル３１の上面を使用可能な高さに設定されている。そして、テーブル３１の前後幅は、店舗１Ａによって提供される飲食物を載せることができる大きさに設定されている。飲食物は、利用者からの注文に応じて厨房Ｋ（図３を参照）で作られ、利用者の目前のテーブル３１上に載せられて提供される。
【００３９】
したがって、利用者は、足浴を行いながらテーブル３１を利用して食事を取ることができる。また、図３に示すように、長椅子１１の後方に所定距離だけ離間して長椅子１１と平行に配置された店舗１Ａの縦壁２には、近隣の風景写真や、絵画などの美術品Ａが展示されており、縦壁に対向して長椅子１１に着席した利用者がこれらの美術品Ａを鑑賞しながら、食事を取ることができるようになっている。
【００４０】
したがって、利用者は、飽きることなく足浴を楽しむことができ、温泉水による温泉効果が得られる適切な時間が経過するまで足浴を満喫することができる。また、足浴と飲食、更には美術品の鑑賞を全て同時に行うことができ、時間の有効活用を図ることができる。そして、施設提供者は、テーブル３１を利用して飲食物を利用者に提供することにより、利用者による足浴施設１０の積極的な使用を促すことができ、足浴施設１０の有効活用を図り、利用率の向上を図ることができる。
【００４１】
図５は、足浴施設１０の他の実施例を説明する図であり、上述の図１に示す構成と同様の構成には、同一の符号を付することでその詳細な説明を省略する。この実施例では、足浴施設１０は、座席部として長椅子１１の代わりに、利用者が個別に着席する単座式の椅子４１を有している。長椅子１１とテーブル３１は、互いに一体に固定されている。そして、椅子４１は、長椅子１１及びテーブル３１とは別個に移動でき、店舗１Ａの床面上を自由に移動することができる。したがって、椅子４１の設置場所を変更することで、利用者の着席位置を自由に調整することができる。
【００４２】
また、特に図示していないが、この単座式の椅子４１にリクライニング機能を持たせて、椅子４１の背もたれをリクライニング可能としても良い。椅子４１の背もたれをリクライニングさせることにより、利用者は、足を足置槽２１に挿入して温泉水２２に浸けた状態で後方に寝ることができ、よりリラックスすることができ、足浴を充分に堪能することができる。
【００４３】
図６は、足浴施設１０の更に他の実施例を説明する図であり、上述の図２に示す構成と同様の構成には同一の符号を付することでその詳細な説明を省略する。
【００４４】
この実施例では、足浴施設１０は、足に温暖感覚を伝達する伝熱媒体として、温泉水２２の代わりに、暖められた石２３を用いている。石２３は、最大が拳大の大きさを有する玉石からなり、足置槽２１の底面に引き詰められている。
【００４５】
足置槽２１と石２３との間には、石２３を暖めるための熱パイプ２４が介在されている。熱パイプ２４は、複数本が平行に足置槽２１の横幅方向に亘って延在するように配設されている。熱パイプ２４は、電気の供給により所定の熱量を発生する構成を有しており、発熱して石２３を暖め、石２３の温度を例えば３７度〜５０度位の、利用者が心地よく感じる程度の温度にすることができるようになっている。尚、熱パイプ２４は、電機により発熱するものに代えて、パイプ内に温泉水を通過させて石２３を暖める構成としても良い。
【００４６】
石２３の上には、例えばタオルなどの布帛２５が敷設されている。利用者は、長椅子１１に着席して足置槽２１内に足を挿入し、布帛２５の上から石２３の上に足を載せる。これにより、伝熱媒体である石２３の熱が足に伝熱されて温暖感覚を伝達し、足浴をさせることができる。したがって、利用者は、足浴をするためにわざわざ靴下を脱いだり、ズボンの裾をまくり上げたりする必要がなく、簡単で且つ手軽に足浴を行うことができる。また、足浴施設１０の提供者は、布帛２５を交換することによって足置槽２１の清掃を行うことができ、清掃作業を簡単なものとし、清掃に必要な人件費等のコスト削減を図ることができる。
【００４７】
本考案は、上述の実施の形態に限定されるものではなく、本考案の趣旨を逸脱しない範囲で種々の変更が可能である。例えば、上述の実施の形態では、足浴施設付き店舗１Ａとして、飲食店を例に挙げて説明したが、喫茶店であっても良い。また、テーブル３１の利用方法として、飲食を例に挙げたが、読書であったり、テーブル３１の上に突っ伏した昼寝に用いても良い。また、上述の実施の形態では、テーブル３１及び足置槽２１が長椅子１１に沿って延在する横長のものを例に説明したが、各利用者ごとに区切られて個別に利用できる大きさのものであっても良い。
【図面の簡単な説明】
【００４８】
【図１】足浴施設の実施例を示す斜視図である。
【図２】足浴施設の断面図である。
【図３】足浴施設付き店舗の構成を説明する平面図である。
【図４】足浴施設付き店舗の実施例を説明する図である。
【図５】足浴施設の他の実施例を説明する図である。
【図６】足浴施設の更に他の実施例を説明する図である。
【符号の説明】
【００４９】
１  店舗
１Ａ  足浴施設付き店舗
２  縦壁
１０  足浴施設
１１  長椅子（座席部）
２１  足置槽
２２  温泉水（伝達媒体）
２３  石（伝達媒体）
３１  テーブル
４１  椅子（座席部）
【図１】
0003125599.tif 000003
【図２】
0003125599.tif 000004
【図３】
0003125599.tif 000005
【図４】
0003125599.tif 000006
【図５】
0003125599.tif 000007
【図６】
0003125599.tif 000008
【手続補正書】
【提出日】平成18年7月12日(2006.7.12)
【手続補正１】
【補正対象書類名】実用新案登録請求の範囲
【補正対象項目名】全文
【補正方法】変更
【補正の内容】
【実用新案登録請求の範囲】
【請求項１】
座席部と、
該座席部の近傍下部に配置されて、前記座席部に着席した利用者が上方から前記利用者の足を挿入可能で、該挿入された足に温暖感覚を伝達する伝熱媒体が収容された足置槽と、
前記座席部の近傍上部でかつ前記座席部に着席した利用者が使用可能な位置に配置されたテーブルと、
を有することを特徴とする足浴装置。
【請求項２】
前記伝熱媒体は、温水であることを特徴とする請求項１に記載の足浴装置。
【請求項３】
前記伝熱媒体は、暖められた石であることを特徴とする請求項１に記載の足浴装置。
【請求項４】
前記座席部は、
利用者が個別に着席する単座式椅子であり、リクライニング可能な背もたれを有することを特徴とする請求項１〜３のいずれか１項に記載の足浴装置。
【請求項５】
前記座席部は、
複数人が着席可能な横幅を有する長椅子であることを特徴とする請求項１〜３のいずれか１項に記載の足浴装置。
【請求項６】
前記足置槽は、
前記長椅子の近傍下部で前記長椅子に沿って延在する横幅を有することを特徴とする請求項５に記載の足浴装置。
【請求項７】
前記足置槽は、
前記長椅子の近傍下部で前記長椅子に沿って該長椅子の全横幅のうちの所定長さに亘って延在する横幅を有することを特徴とする請求項５に記載の足浴装置。
【請求項８】
前記テーブルは、
前記長椅子の近傍上部で前記長椅子に沿って延在する横幅を有することを特徴とする請求項５〜７のいずれか１項に記載の足浴装置。
【請求項９】
前記座席部と、前記足置槽と、前記テーブルが互いに一体に固定されていることを特徴とする請求項１〜８のいずれか１項に記載の足浴装置。
【請求項１０】
前記座席部と、前記足置槽と、前記テーブルの少なくとも一つが独立して設けられており、別個に移動可能であることを特徴とする請求項１〜８のいずれか１項に記載の足浴装置。
【請求項１１】
前記足置槽と前記テーブルが互いに一体に固定され、前記座席が別個に移動可能に設けられていることを特徴とする請求項１〜８のいずれか１項に記載の足浴装置。
【請求項１２】
前記請求項１〜１１のいずれか１項に記載の足浴装置を備え、前記テーブルの上に飲食物を乗せて提供可能な構成を有することを特徴とする足浴装置付き店舗建物。
【請求項１３】
前記座席部から所定距離離間した位置で上下に延在し、写真、絵画などの美術品を取り付け可能な縦壁を有することを特徴とする請求項１２に記載の足浴装置付き店舗建物。
【手続補正２】
【補正対象書類名】明細書
【補正対象項目名】全文
【補正方法】変更
【補正の内容】
【考案の詳細な説明】
【技術分野】
【０００１】
本考案は、座席部に着席した利用者が足置槽に上方から足を入れて足浴が可能な足浴装置に関する。
【背景技術】
【０００２】
一般的な観光地やドライブイン等（以下、観光地等という）では、地元等の業者によって飲食店が建てられ、その飲食店内で飲食物の提供などの営業活動が行われている。観光客は、これらの飲食店を利用して飲食物の提供等の各種サービスを受けることができる。
【０００３】
また、近年、観光地等において足浴装置の設置が盛んに行われている。従来の足浴装置は、長椅子の近傍下部に設置された足置槽に所定量の温泉水を貯留する構成を有している。
【０００４】
観光客等の利用者は、長椅子に着席した状態で上方から足置槽に利用者の足を入れることにより、足のみを温泉水に浸ける足浴ができる。足浴は、温泉浴場のように衣服を脱いで全裸になる必要がなく、手軽に行うことができる。また、温泉効果により、血行が良くなり、気分もリフレッシュでき、健康面や精神面において良い効果を得ることができる。
【０００５】
そして、観光地等における業者は、長椅子と足置槽を用意し、温泉水を引くだけでよく、温泉浴場のように脱衣所や周囲から隠すための囲いを設ける必要もない。したがって、足浴装置を簡単に設置することができ、運営も温泉浴場と比較して簡単かつ低コストで行うことができる。このような理由から、足浴装置は、観光地向けの施設として人気が高まっている。
【考案の開示】
【考案が解決しようとする課題】
【０００６】
しかしながら、従来の足浴装置は、長椅子と足置槽とからなり、利用者は、単に長椅子に座って足を温泉水に浸けるだけであった。したがって、すぐに飽きてしまい、温泉効果が得られる適切な時間が経過する前に足置槽から出てしまうおそれがあった。
【０００７】
また、利用者等である観光客は、観光地等に滞在できる時間が限られており、所定の装置を利用する場合には、その分だけ滞在時間が短くなる。
【０００８】
したがって、観光地等に飲食店と足湯装置が別個に独立して設置されている場合に、飲食店で飲食している時間と足湯に浸かる時間の両方をそれぞれ十分に確保する余裕はなく、これら両方の施設を適切に利用することは困難であった。
【０００９】
本考案は、このような問題に鑑み、従来技術の課題を解決すべくなされたものであり、その目的は、装置の有効活用を図ることができ、また、利用者が飽きることなく積極的に利用することができる足浴装置及び足浴装置付き店舗建物を提供することにある。
【課題を解決するための手段】
【００１０】
上記課題を解決する請求項１に記載の考案による足浴装置は、座席部と、座席部の近傍下部に配置されて、座席部に着席した利用者が上方から利用者の足を挿入可能で、その挿入された足に温暖感覚を伝達する伝熱媒体が収容された足置槽と、座席部の近傍上部でかつ座席部に着席した利用者が使用可能な位置に配置されたテーブルとを有することを特徴とする。
【００１１】
請求項２に記載の考案は、請求項１に記載の足浴装置において、伝熱媒体は、温水であることを特徴とする。
【００１２】
請求項３に記載の考案は、請求項１に記載の足浴装置において、伝熱媒体は、暖められた石であることを特徴とする。
【００１３】
請求項４に記載の考案は、請求項１〜３のいずれか１項に記載の足浴装置において、座席部は、利用者が個別に着席する単座式椅子であり、リクライニング可能な背もたれを有することを特徴とする。
【００１４】
請求項５に記載の考案は、請求項１〜３のいずれか１項に記載の足浴装置において、座席部は、複数人が着席可能な横幅を有する長椅子であることを特徴とする。
【００１５】
請求項６に記載の考案は、請求項５に記載の足浴装置において、足置槽は、長椅子の近傍下部で長椅子に沿って延在する横幅を有することを特徴とする。
【００１６】
請求項７に記載の考案は、請求項５に記載の足浴装置において、足置槽は、長椅子の近傍下部で長椅子に沿って長椅子の全横幅のうちの所定長さに亘って延在する横幅を有することを特徴とする。
【００１７】
請求項８に記載の考案は、請求項５〜７のいずれか１項に記載の足浴装置において、テーブルは、長椅子の近傍上部で前記長椅子に沿って延在する横幅を有することを特徴とする。
【００１８】
請求項９に記載の考案は、請求項１〜８のいずれか１項に記載の足浴装置において、座席部と、足置槽と、テーブルが互いに一体に固定されていることを特徴とする。
【００１９】
請求項１０に記載の考案は、請求項１〜８のいずれか１項に記載の足浴装置において、座席部と、足置槽と、テーブルの少なくとも一つが独立して設けられており、別個に移動可能であることを特徴とする。
【００２０】
請求項１１に記載の考案は、請求項１〜８のいずれか１項に記載の足浴装置において、足置槽と前記テーブルが互いに一体に固定され、前記座席部が別個に移動可能に設けられていることを特徴とする。
【００２１】
請求項１２に記載の考案による足浴装置付き店舗建物は、請求項１〜１１のいずれか１項に記載の足浴装置を備え、テーブルの上に飲食物を乗せて提供可能な構成を有することを特徴とする。
【００２２】
請求項１３に記載の考案は、請求項１２に記載の足浴装置付き店舗建物において、座席部から所定距離離間した位置で上下に延在し、写真、絵画などの美術品を取り付け可能な縦壁を有することを特徴とする。
【考案の効果】
【００２３】
上記考案によれば、足浴装置は、座席部の近傍下部に伝熱媒体が収容された足置槽が配置されると共に、座席部の近傍上部にテーブルが配置されているので、足浴装置の利用者は、足置槽に挿入した足に伝熱媒体から温暖感覚の伝達を受けて足浴を行いながら、テーブルを利用することができる。テーブルの利用方法としては、例えばテーブルの上に飲食物を載せて飲食を行ったり、読書したり、或いは、テーブルの上に突っ伏して昼寝をすること等が挙げられる。
【００２４】
したがって、利用者は、飽きることなく足浴を楽しむことができ、伝熱媒体によって温暖効果が得られる適切な時間が経過するまで足浴を行うことができる。
【００２５】
また、足浴に加えて飲食等も可能となることから、複数施設の同時利用が可能となる。そして、足浴装置を提供する提供者は、足浴装置の有効活用を図ることができ、利用率を向上させることができる。
【考案を実施するための最良の形態】
【００２６】
次に、本考案の実施の形態について図に基づいて説明する。
【００２７】
図１は、足浴装置１０の実施例を示す斜視図、図２は、足浴装置１０の断面図、図３は、足浴装置付き店舗建物１Ａの構成を説明する平面図、図４は、足浴装置付き店舗建物１Ａの実施例を説明する図である。
【００２８】
本考案における足浴装置付き店舗建物１Ａは、観光地へ通じる観光道路や国道等のロードサイドに設けられたドライブイン内に設置されている。ドライブインには、例えば図４に示すように、複数の店舗建物１、駐車場Ｐ、公衆トイレＷＣ、道の駅Ｍ、管理事務所Ｊ等が設けられている。そして、バーベキューコーナＱや、ダチョウの放牧場Ｂ１、羊の放牧場Ｂ２など、家族連れなどが楽しむことができる施設が設けられている。
【００２９】
これらの施設の中で、特に公衆トイレＷＣは、設備が豪華でかつスタッフによる清掃管理が徹底して行われて全国各地の公衆トイレの中でトップクラスの清潔度を有しており、利用者から好評を得ている。
【００３０】
また、ドライブインには居住区が併設されており、定年後の年金生活者等が住居Ｈを建てて生活している。これらの住居Ｈには、家庭菜園が備え付けられており、また、家畜を飼育できるようになっている。そして、かかる住居Ｈの住人がスタッフとしてドライブインの運営管理に携わるビジネスモデルが採用されている。
【００３１】
足浴装置１０は、これら複数の店舗建物１のうち、例えば飲食店内に設置されている。足浴装置付きの店舗建物１Ａを構成する飲食店の店舗建物中央には、図３に示すように、一対の足浴装置１０が互いに対向して平行に並べて設置されており、各足浴装置１０の間には従業員が移動するためのカウンタースペースが設けられている。
【００３２】
足浴装置１０は、図１及び図２に示すように、座席部１１と、座席部１１の近傍下部に配置された足置槽２１と、座席部１１の近傍上部に配置されたテーブル３１とを有している。これら座席部１１と、足置槽２１と、テーブル３１は、互いに一体に固定されている。
【００３３】
座席部１１は、複数人が横並びに着席可能な横幅を有した長椅子によって構成されている。長椅子１１は、カウンタースペースを間に介在させて互いに対向して座るように、店舗建物１Ａの床面に設置されている。長椅子１１の座面高さは、大人である利用者が着席した際に膝が約９０度程度に曲がる高さ位置に設定されている。
【００３４】
足置槽２１は、長椅子１１の近傍下部である前方下部に設置されており、長椅子１１に沿って延在して設けられている。足置槽２１は、上方が開放された横長の箱形状を有しており、所定量の温泉水２２を貯留しかつ長椅子１１に着席した利用者が上方から足を挿入して底面に接地させることができる大きさを有している。
【００３５】
そして、足置槽２１には、利用者が足を挿入した際に、利用者の足の臑部分くらいまでの高さを浸けることができる量の温泉水２２が貯留されている。温泉水２２は、利用者の足に温暖感覚を伝達する伝達媒体を構成している。したがって、利用者は、足置槽２１に挿入した足に温泉水２２から温暖感覚を伝達され、足浴を行うことができる。
【００３６】
足置槽２１の横幅は、長椅子１１の全横幅のうち、所定長さに亘って延在する長さに設定されており、長椅子１１とテーブル３１だけが存在し、足置槽２１が存在しない領域２１′が形成されている。したがって、店舗建物１Ａの利用者のうちで足浴の利用を希望しない者や、怪我等により利用できない者は、長椅子１１の足置槽が存在しない領域２１′に着席できるようになっている。
【００３７】
足置槽２１には、図示していない温泉水供給口と温泉水排出口が設けられており、殺菌された温泉水２２が温泉水供給口から足置槽２１内に供給され、温泉水排出口から排出された温泉水２２が図示していない循環装置によって回収されて殺菌処理された後に、温泉水供給口から足置槽２１内に供給されるように構成されている。尚、温泉水２２は、循環装置による循環式のものに限定されず、いわゆる源泉かけ流しであっても良い。また、本実施の形態では、温泉水２２を例に説明したが、水道水や河川等の水を暖めたものであってもよい。
【００３８】
テーブル３１は、長椅子１１の近傍上部である前方上部に設置されており、長椅子１１に沿って延在して設けられている。テーブル３１の高さは、長椅子１１に着席した利用者の前方に広がり、利用者がテーブル３１の上面を使用可能な高さに設定されている。そして、テーブル３１の前後幅は、店舗建物１Ａによって提供される飲食物を載せることができる大きさに設定されている。飲食物は、利用者からの注文に応じて厨房Ｋ（図３を参照）で作られ、利用者の目前のテーブル３１上に載せられて提供される。
【００３９】
したがって、利用者は、足浴を行いながらテーブル３１を利用して食事を取ることができる。また、図３に示すように、長椅子１１の後方に所定距離だけ離間して長椅子１１と平行に配置された店舗建物１Ａの縦壁２には、近隣の風景写真や、絵画などの美術品Ａが展示されており、縦壁に対向して長椅子１１に着席した利用者がこれらの美術品Ａを鑑賞しながら、食事を取ることができるようになっている。
【００４０】
したがって、利用者は、飽きることなく足浴を楽しむことができ、温泉水による温泉効果が得られる適切な時間が経過するまで足浴を満喫することができる。また、足浴と飲食、更には美術品の鑑賞を全て同時に行うことができ、時間の有効活用を図ることができる。そして、装置提供者は、テーブル３１を利用して飲食物を利用者に提供することにより、利用者による足浴装置１０の積極的な使用を促すことができ、足浴装置１０の有効活用を図り、利用率の向上を図ることができる。
【００４１】
図５は、足浴装置１０の他の実施例を説明する図であり、上述の図１に示す構成と同様の構成には、同一の符号を付することでその詳細な説明を省略する。この実施例では、足浴装置１０は、座席部として長椅子１１の代わりに、利用者が個別に着席する単座式の椅子４１を有している。長椅子１１とテーブル３１は、互いに一体に固定されている。そして、椅子４１は、長椅子１１及びテーブル３１とは別個に移動でき、店舗建物１Ａの床面上を自由に移動することができる。したがって、椅子４１の設置場所を変更することで、利用者の着席位置を自由に調整することができる。
【００４２】
また、特に図示していないが、この単座式の椅子４１にリクライニング機能を持たせて、椅子４１の背もたれをリクライニング可能としても良い。椅子４１の背もたれをリクライニングさせることにより、利用者は、足を足置槽２１に挿入して温泉水２２に浸けた状態で後方に寝ることができ、よりリラックスすることができ、足浴を充分に堪能することができる。
【００４３】
図６は、足浴装置１０の更に他の実施例を説明する図であり、上述の図２に示す構成と同様の構成には同一の符号を付することでその詳細な説明を省略する。
【００４４】
この実施例では、足浴装置１０は、足に温暖感覚を伝達する伝熱媒体として、温泉水２２の代わりに、暖められた石２３を用いている。石２３は、最大が拳大の大きさを有する玉石からなり、足置槽２１の底面に引き詰められている。
【００４５】
足置槽２１と石２３との間には、石２３を暖めるための熱パイプ２４が介在されている。熱パイプ２４は、複数本が平行に足置槽２１の横幅方向に亘って延在するように配設されている。熱パイプ２４は、電気の供給により所定の熱量を発生する構成を有しており、発熱して石２３を暖め、石２３の温度を例えば３７度〜５０度位の、利用者が心地よく感じる程度の温度にすることができるようになっている。尚、熱パイプ２４は、電機により発熱するものに代えて、パイプ内に温泉水を通過させて石２３を暖める構成としても良い。
【００４６】
石２３の上には、例えばタオルなどの布帛２５が敷設されている。利用者は、長椅子１１に着席して足置槽２１内に足を挿入し、布帛２５の上から石２３の上に足を載せる。これにより、伝熱媒体である石２３の熱が足に伝熱されて温暖感覚を伝達し、足浴をさせることができる。したがって、利用者は、足浴をするためにわざわざ靴下を脱いだり、ズボンの裾をまくり上げたりする必要がなく、簡単で且つ手軽に足浴を行うことができる。また、足浴装置１０の提供者は、布帛２５を交換することによって足置槽２１の清掃を行うことができ、清掃作業を簡単なものとし、清掃に必要な人件費等のコスト削減を図ることができる。
【００４７】
本考案は、上述の実施の形態に限定されるものではなく、本考案の趣旨を逸脱しない範囲で種々の変更が可能である。例えば、上述の実施の形態では、足浴装置付き店舗建物１Ａとして、飲食店を例に挙げて説明したが、喫茶店であっても良い。また、テーブル３１の利用方法として、飲食を例に挙げたが、読書であったり、テーブル３１の上に突っ伏した昼寝に用いても良い。また、上述の実施の形態では、テーブル３１及び足置槽２１が長椅子１１に沿って延在する横長のものを例に説明したが、各利用者ごとに区切られて個別に利用できる大きさのものであっても良い。
【図面の簡単な説明】
【００４８】
【図１】足浴装置の実施例を示す斜視図である。
【図２】足浴装置の断面図である。
【図３】足浴装置付き店舗建物の構成を説明する平面図である。
【図４】足浴装置付き店舗建物の実施例を説明する図である。
【図５】足浴装置の他の実施例を説明する図である。
【図６】足浴装置の更に他の実施例を説明する図である。
【符号の説明】
【００４９】
１  店舗建物
１Ａ  足浴装置付き店舗建物
２  縦壁
１０  足浴装置
１１  長椅子（座席部）
２１  足置槽
２２  温泉水（伝達媒体）
２３  石（伝達媒体）
３１  テーブル
４１  椅子（座席部）